(57)【特許請求の範囲】
【請求項１】
電話回線網に接続可能な一対の回線接続端子と、
前記一対の回線接続端子の各端子と一対の第１接続線を介して接続され、前記一対の第１接続線間の電圧の規定値以上の変動を検出する電圧検出回路を有し、前記一対の回線接続端子を介して前記電話回線網との間で信号の送受信を行うデータアクセス部と、
外付電話機を前記電話回線網に接続可能な一対の端子であって、各端子が前記一対の第１接続線に一対の第２接続線を介して接続される一対の外付電話接続端子と、
前記データアクセス部に接続され、前記データアクセス部を介して送受信される信号の変復調を行うモデム部と、
前記一対の外付電話接続端子に接続される前記外付電話機がオフフックされることに応じて、前記一対の第２接続線に流れる電流を検出する電流検出素子と、
前記一対の第１接続線間に設けられ、前記電流検出素子による電流の検出に応じて前記一対の第１接続線間を導通するスイッチ素子と、
を備え、
前記モデム部は、
前記モデム部に電力が供給される通常モードと、前記通常モードに比べて前記モデム部への電力供給が抑制される省電力モードと、の間を遷移することが可能であって、
前記電圧検出回路は、
前記スイッチ素子の導通によって前記規定値以上の変動を検出し、
前記データアクセス部は、
前記電圧検出回路の前記変動の検出によって、前記モデム部に対して前記省電力モードから前記通常モードへの遷移を指示する遷移信号を送信する、
ファクシミリ装置。
【請求項２】
請求項１に記載のファクシミリ装置であって、
前記一対の第１接続線間に、前記スイッチ素子と直列に接続されるコンデンサを備えるファクシミリ装置。
【請求項３】
請求項１または２に記載のファクシミリ装置であって、
前記電流検出素子は、電流が流れることに応じて発光する発光素子であり、
前記スイッチ素子は、前記発光素子の発光によって導通するフォトトランジスタであり、
前記発光素子と前記フォトトランジスタとがフォトカプラを構成するファクシミリ装置。
【請求項４】
請求項３記載のファクシミリ装置であって、
前記発光素子は、
第１発光ダイオードと第２発光ダイオードと、を有し、
前記第１発光ダイオードは、前記一対の第２接続線に流れる電流経路に設けられ、
前記第２発光ダイオードは、前記第１発光ダイオードに並列接続され、アノードが前記第１発光ダイオードのカソード側に接続され、カソードが前記第１発光ダイオードのアノード側に接続される、
ファクシミリ装置。
【請求項５】
請求項１乃至４のいずれか１項に記載のファクシミリ装置であって、
前記モデム部は、
前記通常モードである場合は、前記データアクセス部に対して第１動作クロック信号を送信し、前記省電力モードである場合は、前記データアクセス部に対して第１動作クロック信号の周波数より低周波数である第２動作クロック信号を送信し、
前記データアクセス部は、
前記モデム部から前記第１動作クロック信号が送信されている間は、前記電圧検出回路によって前記一対の第１接続線間の電圧値を検出し、前記第１動作クロック信号に基づく所定の間隔で定期的に前記電圧値を前記モデム部に送信し、
前記モデム部から前記第２動作クロック信号が送信されている間は、前記電圧検出回路によって前記一対の第１接続線間の電圧の変動が前記規定値を超えるか否かを検出する、
ファクシミリ装置。
【請求項６】
請求項１乃至５のいずれか１項に記載のファクシミリ装置であって、
更に、
制御部と、
表示部と、
を備え、
前記制御部は、
前記モデム部による前記データアクセス部からの前記遷移信号の受信に伴って、前記モデム部から送信される省電力モードからの復帰通知を受信した際、前記表示部に対して、前記外付電話機が使用中である旨を表示するように指示する、ファクシミリ装置。
【発明の詳細な説明】
【技術分野】
【０００１】
本発明は、外付電話機が接続可能であって、外付電話機のオフフック状態を検知し、その検知から省電力状態から復帰することができるファクシミリ装置に関するものである。
【背景技術】
【０００２】
近年、ファクシミリ装置において、電話回線網とのインターフェース部に半導体化されたデータアクセス装置（Ｄａｔａ  Ａｃｃｅｓｓ  Ａｒｒａｎｇｅｍｅｎｔ、以下半導体化ＤＡＡと記載）を用いることが知られている。また、ファクシミリ装置に外付電話機を接続し、ファクシミリ装置と外付電話機とが同一の電話回線を用いる使用方法が知られている。
【０００３】
ところで、外付電話機の受話器のオフフックに連動して電話回線網とファクシミリ装置と外付電話機との間で閉回路が構成されると、検出される回線電圧が低下し、外付電話機の受話器がオフフックされたと判断するファクシミリ装置が知られている。特に、特許文献１には、半導体化ＤＡＡに電話回線網に接続され電話回線の電圧変動を検出する検出回路を有し、規定値以上の電圧変動を検出したことを契機に、省電力モードから復帰させるファクシミリ装置が開示されている。
【先行技術文献】
【特許文献】
【０００４】
【特許文献１】特開２０１４−３６３７９号公報
【発明の概要】
【発明が解決しようとする課題】
【０００５】
さて、回線電圧は国によって固定された値を有している。例えば、日本では回線電圧は４８Ｖである。しかし、回線電圧は、電話回線網とファクシミリ装置間に分配器あるいはＴＡ（Ｔｅｒｍｉｎａｌ  Ａｄａｐｔｅｒ）などの負荷が接続される場合がある。この場合、負荷が有する抵抗成分により、ファクシミリ装置に供給される回線電圧は小さくなってしまう。
【０００６】
すると、ファクシミリ装置に供給される回線電圧は小さくなると、その回線電圧が小さくなった分に比例して、外付電話機の受話器のオフフックによる回線電圧の電圧変動自体も小さくなってしまう。ファクシミリ装置が外付電話機の受話器がオフフックされたと判断することができず、省電力モードから復帰させることができないという問題があった。
【０００７】
本発明は、上記の課題に鑑み提案されたものであって、ファクシミリ装置に供給される回線電圧が小さい場合であっても、外付電話機のオフフックを確実に検出し、省電力モードから復帰させるファクシミリ装置を提供することを目的とする。
【課題を解決するための手段】
【０００８】
本発明に係るファクシミリ装置は、一対の回線接続端子、データアクセス部、一対の外付電話接続端子、モデム部、電流検出素子、およびスイッチ素子を備える。一対の回線接続端子は電話回線網に接続可能である。データアクセス部は電圧検出回路を有する。電圧検出回路は一対の回線接続端子の各端子と一対の第１接続線を介して接続され、一対の第１接続線間の電圧の規定値以上の変動を検出する。データアクセス部は一対の回線接続端子を介して電話回線網との間で信号の送受信を行う。一対の外付電話接続端子は外付電話機を電話回線網に接続可能な一対の端子である。また、各端子が一対の第１接続線に一対の第２接続線を介して接続される。モデム部はデータアクセス部に接続され、データアクセス部を介して送受信される信号の変復調を行う。電流検出素子は一対の外付電話接続端子に接続される外付電話機がオフフックされることに応じて、一対の第２接続線に流れる電流を検出する。スイッチ素子は一対の第１接続線間に設けられ、電流検出素子による電流の検出に応じて一対の第１接続線間を導通する。モデム部は、モデム部に電力が供給される通常モードと、通常モードに比べてモデム部への電力供給が抑制される省電力モードとの間を遷移することが可能である。電圧検出回路は、スイッチ素子の導通によって規定値以上の変動を検出する。データアクセス部は、電圧検出回路の変動の検出によって、モデム部に対して省電力状態から通常状態への遷移を指示する遷移信号を送信する。
【０００９】
これにより、電流素子は、一対の外付電話接続端子に接続される外付電話機がオフフックされることに応じて、一対の第２接続線に流れる電流を検出する。そして、その流れた電流によってスイッチ素子が一対の第１接続線間を導通すると、第１接続線間の電圧はゼロとなるため、必然的に電圧検出回路は、規定値以上の変動を検出することになる。データアクセス部は、モデム部に対して省電力モードから通常モードへの遷移を指示する信号を送信することができるため、ファクシミリ装置が省電力モードから復帰することができる。
【００１０】
また、本発明に係るファクシミリ装置において、一対の第１接続線間に、スイッチ素子と直列に接続されるコンデンサを備える。
【００１１】
これにより、スイッチ素子に直列にコンデンサが接続されているので、スイッチ素子が導通することに応じてコンデンサの端子間は一対の第１接続線に接続されコンデンサへの充電が開始される。これにより、一対の第１接続線間の電圧は、スイッチ素子が導通する前の元の電圧から低い電圧に変動したのち、コンデンサが充電された後は再び元の電圧に戻る、過渡的な電圧変動を呈する。元の電圧から低い電圧への過渡的な電圧変動を電圧検出回路が検出することができる。また、コンデンサが充電された後は、スイッチ素子が導通状態であったとしても一対の第１接続線間に電流が流れることはない。必要となる電圧の変動を検出した後にも電流が流れ続けることはなく電流消費が増大することはない。
【００１２】
また、本発明に係るファクシミリ装置において、電流検出素子は、電流が流れることに応じて発光する発光素子である。スイッチ素子は、発光素子の発光によって導通するフォトトランジスタである。発光素子とフォトトランジスタとがフォトカプラを構成する。
【００１３】
これにより、フォトカプラに備えられる発光素子とフォトトランジスタとにより一対の第２接続線に流れる電流を検出して一対の第１接続線間の電圧を変動させることができる。フォトカプラという電子部品を追加することで外付電話機のオフフックを確実に検出する構成を実現することができる。
【００１４】
また、本発明に係るファクシミリ装置において、発光素子は第１発光ダイオードと第２発光ダイオードとを有する。第１発光ダイオードは、一対の第２接続線に流れる電流経路に設けられる。第２発光ダイオードは、第１発光ダイオードに並列接続され、アノードが第１発光ダイオードのカソード側に接続され、カソードが第１発光ダイオードのアノード側に接続される。
【００１５】
これにより、回線接続端子は、電話回線網の回線電圧の正負電圧に対して正反いずれの方向でも接続可能である。これにより、一対の第１接続線に印加される電圧の正負の極性が逆転することがあり、これに伴い、一対の第２接続線に流れる電流の方向が逆転する場合がある。第１発光ダイオードと第２発光ダイオードとを並列接続された状態で備えることにより、電話回線網への接続方向に関わらず、一対の第２接続線に流れる電流を検出することができる。
【００１６】
また、本発明に係るファクシミリ装置において、モデム部は、通常モードである場合は、データアクセス部に対して第１動作クロック信号を送信し、省電力モードである場合は、データアクセス部に対して第１動作クロック信号の周波数より低周波数である第２動作クロック信号を送信する。データアクセス部は、モデム部から第１動作クロック信号が送信されている間は、電圧検出回路によって一対の第１接続線間の電圧値を検出し、第１動作クロック信号に基づく所定の間隔で定期的に電圧値をモデム部に送信する。また、モデム部から第２動作クロック信号が送信されている間は、電圧検出回路によって一対の第１接続線間の電圧の変動が規定値を超えるか否かを検出する。
【００１７】
これにより、通常モードでは、外付電話機のオフフック状態を見るだけでなく、回線が接続、非接続になっているかどうかを見る必要が有る。そのため、通常動作モードでは、第１動作クロック信号に基づく所定の間隔で定期的に電圧値をモデム部に送信することで、回線が接続、非接続になっているかどうか等も含めて確認している。一方、省電力モードでは、省電力の観点もあって、定期的に常に電圧値を確認する必要はない。そこで、第１動作クロック信号の周波数より低周波数である第２動作クロック信号でデータアクセス部を駆動させて、電圧検出回路によって一対の第１接続線間の電圧の変動が規定値を超えるか否かを検出することで省電力化を図ることができる。
【００１８】
また、本発明に係るファクシミリ装置は、更に、制御部および表示部を備える。制御部は、モデム部によるデータアクセス部からの遷移信号の受信に伴って、モデム部から送信される省電力モードからの復帰通知を受信した際、表示部に対して、外付電話機が使用中である旨を表示するように指示する。
【００１９】
これにより、外付電話機がオフフック状態となると、外付電話機によって電話回線が占有されることになるため、ファクシミリ装置の表示部に外付電話機が使用中である旨を表示することで、ファクシミリ装置を使用しているユーザに電話回線が占有されていることを報知することができる。
【発明の効果】
【００２０】
本願に係る通信装置によればファクシミリ装置に供給される回線電圧が小さい場合にも、外付電話のオフフックを確実に検出できる。
【図面の簡単な説明】
【００２１】
【図１】実施形態のファクシミリ装置の回路構成を示す図である。
【図２】従来のオフフック時の線間電圧の遷移特性を示す図である。
【図３】実施形態のオフフック時の線間電圧の遷移特性を示す図である。
【図４】実施形態のＡＳＩＣにおける通常モードと省電力モードとの間の遷移を示すフローチャートである。
【図５】実施形態の省電力モード処理を示すフローチャートである。
【図６】実施形態のモデム部における通常モードと省電力モードとの間の遷移を示すフローチャートである。
【発明を実施するための形態】
【００２２】
図１は、本願に係る実施形態のファクシミリ装置（以下ＦＡＸ装置と記載する）１の回路構成を示した図である。図１では、電話回線網６０および外付電話機７０が接続された状態のＦＡＸ装置１を示す。
【００２３】
ＦＡＸ装置１は、回線接続端子１１、電話接続端子１２、フォトカプラ１４、コンデンサ１５、ダイオードブリッジ１６、スイッチ１７、半導体化ＤＡＡ２０、トランス１８、モデム部３０、ＡＳＩＣ４０、ＲＯＭ４３、ＲＡＭ４４、操作部４５、画像形成部４６、画像読取部４７、および表示部４８を備える。
【００２４】
回線接続端子１１および電話接続端子１２はＦＡＸ装置１の外部に回線や機器が接続可能に設けられた端子であり、例えばモジュラージャックである。回線接続端子１１は電話回線網６０を介して不図示の交換機に接続される。電話接続端子１２は、外付電話機７０を接続可能な端子である。回線接続端子１１は端子１１Ａおよび１１Ｂを有する。電話接続端子１２は、端子１２Ａおよび１２Ｂを有する。
【００２５】
半導体化ＤＡＡ２０は電圧監視部２１、回線信号受信回路２２、回線信号送出回路２３、データ入出力部２４、および図示しない周知のリング検出回路などを備える。電圧監視部２１は回線接続端子１１を介して電話回線網６０に接続される。端子１１Ａと電圧監視部２１とは、伝送経路１３Ａで接続される。端子１１Ｂと電圧監視部２１とは、伝送経路１３Ｂで接続される。電圧監視部２１は伝送経路１３Ａと１３Ｂとの間の電圧である線間電圧ＶＳを検知する。回線信号受信回路２２はＦＡＸ受信時に電話回線網６０を閉結する。回線信号送出回路２３はＦＡＸ送信時に電話回線網６０を閉結する。データ入出力部２４はＦＡＸ受信データおよびＦＡＸ送信データのＡ／Ｄ変換及びＤ／Ａ変換を行う。また、ＦＡＸ受信時に、リング検出回路から送信されるリング検出信号等の信号と回線信号受信回路２２から出力されるＦＡＸ受信データとをシリアルデータに変換する。また、ＦＡＸ送信時に、ＡＳＩＣ４０から出力される半導体化ＤＡＡ２０を制御する制御信号とＦＡＸ送信データとを分離する。
【００２６】
フォトカプラ１４はフォトトランジスタ１４ａ、発光ダイオード１４ｂおよび１４ｃを有する。フォトトランジスタ１４ａは伝送経路１３Ａとコンデンサ１５の第１端子間に接続される。コンデンサ１５の第２端子は伝送経路１３Ｂに接続される。伝送経路１３Ａ上のノードＮ１と端子１２Ａは伝送経路１３Ｃによって接続される。伝送経路１３Ｂ上のノードＮ２と端子１２Ｂは伝送経路１３Ｄによって接続される。発光ダイオード１４ｂおよび１４ｃは伝送経路１３Ｄの経路上に接続される。発光ダイオード１４ｂのアノードは端子１２Ｂ側に接続され、カソードはノードＮ２側に接続される。発光ダイオード１４ｃのアノードはノードＮ２側に接続され、カソードは端子１２Ｂ側に接続される。ダイオードブリッジ１６は伝送経路１３Ａと１３Ｂとの間に接続される。これにより、電話回線網６０が閉結された場合に流れる直流ループ電流が整流される。ダイオードブリッジ１６により整流された電流は伝送経路１３Ｅを介して回線信号受信回路２２に入力される。また、伝送経路１３Ｅはスイッチ１７を介して回線信号送出回路２３へ接続される。スイッチ１７はデータ入出力部２４により制御され、ＦＡＸ受信時はオフされ、ＦＡＸ送信時はオンされる。
【００２７】
モデム部３０はトランス１８を介して、半導体化ＤＡＡ２０に接続される。また、クロック部３１を備える。モデム部３０はＦＡＸ受信データおよびＦＡＸ送信データの変復調を行う。クロック部３１はＡＳＩＣ４０から送信されるクロック信号ＣＫ１またはＣＫ２を変調し、クロック信号ＣＬＫ２またはＣＬＫ３を生成する。クロック信号ＣＬＫ２、ＣＬＫ３はトランス１８とは別の不図示のトランスを介して半導体化ＤＡＡ２０のデータ入出力部２４へ送信される。
【００２８】
ＡＳＩＣ４０はＦＡＸ装置１全体を制御する機能を有する。また、ＣＰＵ４１、クロック生成部４２を備える。また、バス４９を介して、ＲＯＭ４３、ＲＡＭ４４、操作部４５、画像形成部４６、画像読取部４７、および表示部４８に接続される。ＣＰＵ４１はＲＯＭ４３に記憶されている各種のプログラムを実行することによって、操作部４５、画像形成部４６、画像読取部４７、および表示部４８などを制御する。ＲＯＭ４３には制御プログラムや各種のデータなどが記憶されている。ＲＡＭ４４はＣＰＵ４１が各種の処理を実行するための主記憶装置として用いられる。
【００２９】
操作部４５は各種キーおよび操作パネルを備える。各種キーとは、例えばスタートキーおよびテンキーである。ユーザは各種キーおよび操作パネルにより各種操作を行うことができる。画像形成部４６は、例えば、インクジェット方式のプリンタである。画像読取部４７は、原稿挿入口に挿入された原稿を画像データとして読み取る。表示部４８は例えば液晶表示ディスプレイなどを備え、ＦＡＸ装置１の動作状態を表示することができる。
【００３０】
外付電話機７０のオンフック状態においては、外付電話機７０に内蔵される不図示のスイッチはオフしており、外付電話機７０はＦＡＸ装置１から電気的に切り離されている。ＦＡＸ受信において、ＦＡＸ装置１はＦＡＸ受信データを受信すると、半導体化ＤＡＡ２０、トランス１８を介して、モデム部３０にＦＡＸ受信データが送信される。ＦＡＸ受信データはモデム部３０で復調され、ＡＳＩＣ４０に転送され、ＲＡＭ４４に保存される。そして、画像形成部４６によりＲＡＭ４４に保存されたＦＡＸ受信データは画像形成される。
【００３１】
ところで、ＦＡＸ装置１は通常モードと省電力モードとを有する。通常モードではＡＳＩＣ４０、モデム部３０、および半導体化ＤＡＡ２０は所定のクロック信号に基づいて動作する。一方、省電力モードでは、モデム部３０、データ入出力部２４、電圧監視部２１は通常モードよりも低い周波数のクロック信号に基づいて動作する。また、画像形成部４６、画像読取部４７、回線信号受信回路２２、および回線信号送出回路２３は停止する。
【００３２】
詳しく説明する。通常モードでは、クロック生成部４２からクロック部３１へクロック信号ＣＫ１が送信される。すると、クロック部３１においてクロック信号ＣＬＫ２が生成され、データ入出力部２４に送信される。さらに、データ入出力部２４から電圧監視部２１、回線信号受信回路２２、および回線信号送出回路２３へクロック信号ＣＬＫ２が送信される。一方、省電力モードでは、クロック生成部４２からクロック部３１へクロック信号ＣＫ２が送信される。すると、クロック部３１においてクロック信号ＣＬＫ３が生成され、データ入出力部２４にクロック信号ＣＬＫ３が送信される。さらに、データ入出力部２４から電圧監視部２１へクロック信号ＣＬＫ３が送信される。ここで、クロック信号ＣＫ２の周波数はクロック信号ＣＫ１よりも低い。また、クロック信号ＣＬＫ３の周波数はクロック信号ＣＬＫ２よりも低く、例えば数十分の１程度である。
【００３３】
さて、外付電話機７０の受話器がオフフックされると、外付電話機７０に内蔵される不図示のスイッチがオンし、電話回線網６０と外付電話機７０との間で閉回路が構成される。外付電話機７０へ電流が流れ、線間電圧ＶＳはオンフック状態から低下する。一般に、オフフック状態の線間電圧ＶＳはオンフック状態の線間電圧ＶＳの半分程度の電圧となる。通常モードでは、電圧監視部２１により例えば１００ｍｓｅｃの所定時間毎に線間電圧ＶＳが検知される。そして、検知された線間電圧ＶＳが予め設定された所定値より低電圧であると、ＡＳＩＣ４０は外付電話機７０がオフフックされたと判断する。一方、省電力モードでは、電圧監視部２１は消費電流の低減のために機能が制限されており、線間電圧ＶＳの変動幅ΔＶＳを検知することができるが、線間電圧ＶＳの電圧値を検知することはできない。そこで、省電力モードにおいて外付電話機７０がオフフックされた場合、モデム部３０は電圧監視部２１により規定値以上の電圧変動幅ΔＶＳが検知されることをトリガとして通常モードへの復帰をＡＳＩＣ４０へ通知する。
【００３４】
従来のＦＡＸ装置１における省電力モードでの線間電圧ＶＳの遷移特性を図２に示す。オンフック状態では、回路は閉結されないため電流は流れず、線間電圧ＶＳは給電電圧ＶＬと略同値である。ここで、給電電圧ＶＬとは回線接続端子１１に電話回線網６０から印加される電圧値である。従来のＦＡＸ装置１はフォトカプラ１４およびコンデンサ１５を備えていない。このため、時刻ｔ１で外付電話機７０がオフフックされると、線間電圧ＶＳは低下し、時刻ｔ２で電圧ＶＬｅｘｔになる。なお、電圧ＶＬｅｘｔは給電電圧ＶＬ、電話回線網６０の有するフィード抵抗の抵抗値、および外付電話機７０の有する抵抗の抵抗値により決まる。次に、時刻ｔ３において、外付電話機７０がオンフックされると、線間電圧ＶＳは再び給電電圧ＶＬとなる。ここで、電圧監視部２１は規定値Ｘ以上の変動幅ΔＶＳを検知するように設定されている。つまり、線間電圧ＶＳが電圧ＶＬ−Ｘ以下となると、電圧監視部２１は変動幅ΔＶＳを検知する。規定値Ｘは例えば、２０Ｖである。この値は、給電電圧ＶＬが４８Ｖである場合に、外付電話機７０がオフフックされたことを検知可能な電圧である。なぜならば、給電電圧ＶＬが４８Ｖである場合には、電圧ＶＬｅｘｔは半分程度の２４Ｖ程度となるからである。つまり、変動幅ΔＶＳは２４Ｖであり、規定値Ｘ以上となる。ところが、給電電圧ＶＬが低く、例えば２４Ｖである場合には、電圧ＶＬｅｘｔは半分程度の１２Ｖ程度となる。つまり、変動幅ΔＶＳは１２Ｖであり、規定値Ｘ以上とならない。このため、電圧監視部２１が検知可能な電圧ＶＬ−Ｘ以下とならない。なお、図２は給電電圧ＶＬが例えば２４Ｖと低い場合について示している。また、給電電圧ＶＬが低い場合とは、給電電圧ＶＬが低く設定されている日本以外の国で使用する場合、電話回線網６０とＦＡＸ装置１間に分配器あるいはＴＡなどの負荷が接続される場合などがある。
【００３５】
次に図１に戻り、外付電話機７０がオフフックされた場合の実施形態の回路動作について説明する。以下、端子１１Ａに給電電圧ＶＬの正極側が接続され、端子１１Ｂに負極側が接続された場合を例に説明する。また、負極側の電圧が接地電圧であるとする。
【００３６】
外付電話機７０がオフフックされると回路は閉結され、電流が流れる。すなわち、端子１１Ａ、ノードＮ１、端子１２Ａ、外付電話機７０、端子１２Ｂ、発光ダイオード１４ｂ、ノードＮ２、端子１１Ｂを通る経路で電流が流れる。そして、発光ダイオード１４ｂが発光する。発光ダイオード１４ｂの光をフォトカプラ１４のフォトトランジスタ１４ａが受光して、フォトトランジスタ１４ａがオンする。この時、コンデンサ１５には電荷が蓄積されていない。このため、フォトトランジスタ１４ａがオンすると伝送経路１３Ａがコンデンサ１５の第１電極に接続され、電荷の蓄積されていないコンデンサ１５を介して伝送経路１３Ｂに短絡された状態となる。これにより、伝送経路１３Ａと１３Ｂとの間の電圧である線間電圧ＶＳの電圧が一時的に接地電圧近くまで下がる。
【００３７】
実施形態での線間電圧ＶＳの過渡特性を図３に示す。給電電圧ＶＬが図２に示した従来例と同じ２４Ｖである場合を例示している。オンフック状態の線間電圧ＶＳは給電電圧ＶＬである。時刻ｔ４で外付電話機７０がオフフックされると、線間電圧ＶＳは一時的に接地電圧近くまで低下し、やがて、電圧ＶＬｅｘｔになる。そして、時刻ｔ６で外付電話機７０が再びオンフックされると、再び電圧ＶＬに戻る。
【００３８】
時刻ｔ５で、線間電圧ＶＳはＶＬ−Ｘとなり、電圧監視部２１は規定値Ｘである変動幅ΔＶＳを検知することができる。電圧監視部２１が規定値Ｘである変動幅ΔＶＳを検知すると、データ入出力部２４、トランス１８を介して、モデム部３０へ検知信号を送信する。モデム部３０は検知信号を受信すると、ＡＳＩＣ４０へ復帰通知を送信する。ＡＳＩＣ４０は復帰通知を受信すると、省電力モードから通常モードへ復帰する。詳細については後述する。なお、オンフック状態でフォトトランジスタ１４ａがオフすると、図示しない電流経路により、コンデンサ１５は放電される。
【００３９】
次に給電電圧ＶＬの極性が反転した場合の実施形態の回路動作について、図１を用いて説明する。交換機の種類により、回線接続端子１１に供給される供給電圧ＶＬの極性は変更される場合がある。
【００４０】
外付電話機７０がオフフックされると回路は閉結され、電流が流れる。すなわち、端子１１Ｂ、ノードＮ２、発光ダイオード１４ｃ、端子１２Ｂ、外付電話機７０、端子１２Ａ、ノードＮ１、端子１１Ａを通る経路で電流が流れる。そして、発光ダイオード１４ｃが発光する。発光ダイオード１４ｃの光をフォトカプラ１４のフォトトランジスタ１４ａが受光して、フォトトランジスタ１４ａがオンする。このため、フォトトランジスタ１４ａがオンすると伝送経路１３Ａがコンデンサ１５の第１電極と短絡することで、伝送経路１３Ａの電圧が一時的に供給電圧ＶＬ近くまで上がる。これにより、線間電圧ＶＳでは規定値Ｘより大きい電圧変動が起きる。
【００４１】
次に、通常モードから省電力モードへ、また、省電力モードから通常モードへの切替え処理について説明する。図４、５はＡＳＩＣ４０で行われる処理のフローチャートである。図６はモデム部３０で行われる処理のフローチャートである。
【００４２】
まず、図４に示すフローチャートについて説明する。ＦＡＸ装置１に電源が投入されると通常モードで処理が開始される。また、後述する省電力モード復帰フラグおよび外付電話オフフックフラグはオフされている。ＡＳＩＣ４０はクロック生成部４２からクロック信号ＣＫ１をモデム部３０のクロック部３１へ出力する（Ｓ２）。次に、画像形成部４６および画像読取部４７は駆動を開始する（Ｓ４）。次に、外付電話オフフックフラグがオンされているか否かを判断する（Ｓ６）。外付電話オフフックフラグとは、外付電話機７０の使用状態を示すフラグである。外付電話オフフックフラグがオンであれば、外付電話機７０はオフフックされ、使用中であることを示す。また、外付電話オフフックフラグがオフであれば、外付電話機７０はオンフックされ、使用されていないことを示す。外付電話オフフックフラグがオンであると判断することに応じて（Ｓ６：ＹＥＳ）、表示部４８に外付電話機７０が使用中である旨を表示し（Ｓ８）、外付電話オフフックフラグをオフされると、ステップＳ１２へ移行する。一方、外付電話オフフックフラグがオフであると判断することに応じて（Ｓ６：ＮＯ）、通常モード処理（Ｓ１０）を行い、ステップＳ１２へ移行する。ここで、通常モード処理（Ｓ１０）とは、ＦＡＸの送受信を行う処理である。
【００４３】
ステップＳ１２では、ＡＳＩＣ４０が省電力モード移行指示を受け付けたか否かを判断する（Ｓ１２）。省電力モード移行指示とは、例えば、ユーザが省電力モードへ切り替えたい場合に操作部４５を操作することにより、ＡＳＩＣ４０に送信される信号である。省電力モード移行指示を受け付けたと判断することに応じて（Ｓ１２：ＹＥＳ）、ステップＳ１４へ移行する。一方、省電力モード移行指示を受け付けていないと判断することに応じて（Ｓ１２：ＮＯ）、ステップＳ１０へ戻り、通常モード処理（Ｓ１０）を行う。ステップＳ１４では、省電力モード復帰フラグをオフする（Ｓ１４）。また、モデム部３０へ省電力モード移行指示を転送する。ここで、省電力モード復帰フラグとは、ＡＳＩＣ４０が省電力モードから通常モードへ復帰するか否かを判断するために使用するフラグである。次に、モデム部３０のクロック部３１へ送信するクロック信号をクロック信号ＣＫ１から低周波数であるクロック信号ＣＫ２へ切替える（Ｓ１６）。次に、画像形成部４６および画像読取部４７を停止する。次に、省電力モード処理を行う（Ｓ２０）。
【００４４】
省電力モード処理については図５に示す。まず、モデム部３０から送信される復帰通知の有無を判断する（Ｓ３２）。復帰通知が有ったと判断することに応じて（Ｓ３２：ＹＥＳ）、外付電話機７０が使用中であるため、外付電話オフフックフラグをオンし（Ｓ３４）、ステップＳ３６へ移行する。復帰通知が無かったと判断することに応じて（Ｓ３２：ＮＯ）、外付電話機７０は使用されていないため、ＦＡＸ受信信号を受信したか否かを判断する（Ｓ３８）。ＦＡＸ装置１がＦＡＸ受信信号を受信する場合には、まず半導体化ＤＡＡ２０がＦＡＸ受信信号を受信し、受信したＦＡＸ受信信号はモデム部３０を介して、ＡＳＩＣ４０へ送信される。ＦＡＸ受信信号を受信したと判断することに応じて（Ｓ３８：ＹＥＳ）、ステップＳ３６へ移行する。一方、ＦＡＸ受信信号を受信していないと判断することに応じて（Ｓ３８：ＮＯ）、操作部４５の操作パネルの操作の有無を判断する（Ｓ４０）。操作部４５の操作パネルの操作があったと判断することに応じて（Ｓ４０：ＹＥＳ）、ユーザがＦＡＸ送信を行うと判断されるため、モデム部３０へ復帰指示を送信し、ステップＳ３６へ移行する。一方、操作部４５の操作パネルの操作が無かったと判断することに応じて（Ｓ４０：ＮＯ）、ユーザがＦＡＸ送信を行わないと判断されるため、図４に示すステップＳ２２へ移行する。ステップＳ３６では、省電力モードから通常モードへ復帰するため、省電力モード復帰フラグをオンする（Ｓ３６）。
【００４５】
図４へ戻り、ステップＳ２２では、省電力モード復帰フラグがオンされているか否かを判断する。省電力モード復帰フラグがオンされていると判断することに応じて（Ｓ２２：ＹＥＳ）、通常モードへ復帰するため、ステップＳ２へ戻る。一方、省電力モード復帰フラグがオフされていると判断することに応じて（Ｓ２２：ＮＯ）、省電力モードを継続するため、ステップＳ２０へ戻る。
【００４６】
次に図６に示すモデム部３０で行われる処理のフローチャートについて説明する。図４および５に示すＡＳＩＣ４０で行われるフローチャートと並行して行われる。また、ステップＳ５６、Ｓ６０、Ｓ６４、およびＳ７２は図４および５で示したＡＳＩＣ４０で行われるステップＳ２、Ｓ１２、Ｓ１６、およびＳ３２に各々連動して行われる。なお、フローチャートで示す処理手順はハードウェアに記憶されている。
【００４７】
ＦＡＸ装置１に電源が投入されると処理が開始される。まず、モデム部３０内蔵の不図示のレジスタに通常モードの書込みが行われる（Ｓ５２）。モデム部３０では、レジスタに通常モード、もしくは省電力モードの書込みが行われる。そして、レジスタに書込まれているモードに従って、以下の処理が行われる。
【００４８】
レジスタに省電力モードが書込まれているか否かが判断される（Ｓ５４）。レジスタに省電力モードではなく、通常モードが書込まれていると判断されることに応じて（Ｓ５４：ＮＯ）、半導体化ＤＡＡ２０に対してクロック信号ＣＬＫ２を送信する。この処理は、ステップＳ２（図４）でＡＳＩＣ４０が行うクロック信号ＣＫ１の出力を受けて行われる。次に、半導体化ＤＡＡ２０の電圧監視部２１が検知する線間電圧ＶＳを所定時間毎に所得する（Ｓ５８）。電圧監視部２１は所定時間毎にクロック信号ＣＬＫ２に同期して線間電圧ＶＳを検知する。なお、モデム部３０およびＡＳＩＣ４０では図４および６には示さない以下の処理が行われる。モデム部３０は取得した線間電圧ＶＳをＡＳＩＣ４０へ送信する。ＡＳＩＣ４０は、受信する線間電圧ＶＳを監視し、線間電圧ＶＳが所定電圧以下に低下したと判断することに応じて、外付電話機７０がオフフックされたと判断し、外付電話オンフックフラグをオンする。
【００４９】
次に、ＡＳＩＣ４０からの省電力モード移行指示の有無を判断する（Ｓ６０）。この処理は、ステップＳ１２（図４）と連動して行われる。すなわち、ＡＳＩＣ４０は省電力モード移行指示を受け付けたと判断することに応じて（Ｓ１２：ＹＥＳ）、省電力モード移行指示をモデム部３０へ転送する。モデム部３０は、省電力モード移行指示を受信すると、省電力モード移行指示が有ったと判断する（Ｓ６０：ＹＥＳ）。省電力モード移行指示が有ったと判断することに応じて（Ｓ６０：ＹＥＳ）、レジスタに省電力モードの書込みを行う（Ｓ６２）。次に、省電力モードへ切り替えるため、ステップＳ５４へ戻る。一方、省電力モード移行指示が無かったと判断することに応じて（Ｓ６０：ＮＯ）、通常モードを継続するため、ステップＳ５６へ戻る。
【００５０】
一方、レジスタに省電力モードが書込まれていると判断されることに応じて（Ｓ５４：ＹＥＳ）、半導体化ＤＡＡ２０に対して、クロック信号ＣＬＫ２より低周波数であるクロック信号ＣＬＫ３を送信する（Ｓ６４）。この処理は、ステップＳ１６（図４）でＡＳＩＣ４０が行うクロック信号ＣＫ２の出力を受けて行われる。次に、半導体化ＤＡＡ２０は規定値Ｘ以上の変動幅ΔＶＳを検知したか否かを判断する（Ｓ６６）。半導体化ＤＡＡ２０の電圧監視部２１は規定値Ｘ以上の変動幅ΔＶＳを検知すると、モデム部３０へ検知信号を送信する。従って、モデム部３０は検知信号を受信した場合には、半導体化ＤＡＡ２０は規定値Ｘ以上の変動幅ΔＶＳを検知したと判断する（Ｓ６６：ＹＥＳ）。半導体化ＤＡＡ２０は規定値Ｘ以上の変動幅ΔＶＳを検知したと判断することに応じて（Ｓ６６：ＹＥＳ）、外付電話機７０は使用されており、通常モードへ復帰するため、ステップＳ７２へ移行する。
【００５１】
ステップＳ７２では、通常モードへ復帰するため、まずＡＳＩＣ４０に対して復帰通知を送信する。この処理を受けて、ステップＳ３２（図５）でＡＳＩＣ４０はモデム部３０から復帰通知が有ったと判断する。次に、ステップＳ７４へ移行する。一方、半導体化ＤＡＡ２０は規定値Ｘ以上の変動幅ΔＶＳを検知していないと判断することに応じて（Ｓ６６：ＮＯ）、ＡＳＩＣ４０から復帰指示が送信されたか否かを判断する（Ｓ７０）。この処理は、ステップＳ４０（図５）を受けて行われる。すなわち、ユーザがＦＡＸ送信を行うと判断することに応じて、ＡＳＩＣ４０はモデム部３０へ復帰指示を送信する。復帰指示が送信されたと判断することに応じて（Ｓ７０：ＹＥＳ）、通常モードへ復帰するため、ステップＳ７４へ移行する。一方、復帰指示が送信されていないと判断することに応じて（Ｓ７０：ＮＯ）、省電力モードを継続するため、ステップＳ６４へ戻る。
【００５２】
ステップＳ７４では、半導体化ＤＡＡ２０に対してクロック信号ＣＬＫ２を送信する。次に、レジスタに通常モードの書込みを行い（Ｓ７６）、通常モードへ復帰するために、ステップＳ５４へ戻る。
【００５３】
ここで、伝送経路１３Ａおよび１３Ｂは一対の第１接続線の一例である。伝送経路１３Ｃおよび１３Ｄは一対の第２接続線の一例である。電話接続端子１２は一対の外付電話接続素子の一例である。電圧監視部２１は電圧検出回路の一例である。半導体化ＤＡＡ２０はデータアクセス部の一例である。発光ダイオード１４ｂおよび１４ｃは電流検出素子の一例である。フォトトランジスタ１４ａはスイッチ素子の一例である。ＡＳＩＣ４０は制御部の一例である。検知信号は遷移信号の一例である。
【００５４】
以上、上記した実施形態によれば、以下の効果を奏する。
ＦＡＸ装置１は、回線接続端子１１、電話接続端子１２、半導体化ＤＡＡ２０、モデム部３０、フォトカプラ１４を備える。回線接続端子１１は端子１１Ａおよび１１Ｂを備え、電話回線網６０に接続可能である。半導体化ＤＡＡ２０は電圧監視部２１を有する。電圧監視部２１は回線接続端子１１の端子１１Ａおよび１１Ｂにそれぞれ伝送経路１３Ａおよび１３Ｂを介して接続される。また、伝送経路１３Ａおよび１３Ｂ間の電圧の規定値Ｘ以上の変動を検出する。半導体化ＤＡＡ２０は回線接続端子１１を介して電話回線網６０との間で信号の送受信を行う。電話接続端子１２は端子１２Ａおよび１２Ｂを備え、外付電話機７０を電話回線網６０に接続可能である。電話接続端子１２の端子１２Ａは伝送経路１３Ａに伝送経路１３Ｃを介して接続される。また、電話接続端子１２の端子１２Ｂは伝送経路１３Ｂに伝送経路１３Ｄを介して接続される。モデム部３０は半導体化ＤＡＡ２０に接続され、半導体化ＤＡＡ２０を介して送受信される信号の変復調を行う。フォトカプラ１４はフォトトランジスタ１４ａ、発光ダイオード１４ｂおよび１４ｃを有する。発光ダイオード１４ｂおよび１４ｃは伝送経路１３Ｄに設けられる。電話接続端子１２に接続される外付電話機７０がオフフックされることに応じて、発光ダイオード１４ｂまたは１４ｃは伝送経路１３Ｄに流れる電流を検出する。フォトトランジスタ１４ａは伝送経路１３Ａおよび１３Ｂ間に設けられ、発光ダイオード１４ｂまたは１４ｃによる電流の検出に応じて伝送経路１３Ａおよび１３Ｂ間を導通する。モデム部３０は、モデム部３０に電力が供給される通常モードと、通常モードに比べてモデム部への電力供給が抑制される省電力モードとの間を遷移することが可能である。電圧監視部２１は、フォトトランジスタ１４ａの導通によって規定値Ｘ以上の変動を検出する。半導体化ＤＡＡ２０は、電圧監視部２１の変動の検出によって、モデム部３０に対して省電力モードから通常モードへの遷移を指示する検出信号を送信する。
【００５５】
これにより、発光ダイオード１４ｂおよび１４ｃは、電話接続端子１２に接続される外付電話機７０がオフフックされることに応じて、伝送経路１３Ｃおよび１３Ｄに流れる電流を検出する。そして、その流れた電流によってフォトトランジスタ１４ａが伝送経路１３Ａおよび１３Ｂ間を導通すると、伝送経路１３Ａおよび１３Ｂ間の電圧はゼロとなるため、必然的に電圧監視部２１は、規定値Ｘ以上の変動を検出することになる。半導体化ＤＡＡ２０は、モデム部３０に対して省電力モードから通常モードへの遷移を指示する信号を送信することができるため、ＦＡＸ装置１が省電力モードから復帰することができる。
【００５６】
また、伝送経路１３Ａおよび１３Ｂ間に、フォトトランジスタ１４ａと直列に接続されるコンデンサ１５を備える。
【００５７】
これにより、フォトトランジスタ１４ａに直列にコンデンサ１５が接続されているので、フォトトランジスタ１４ａが導通することに応じてコンデンサ１５の端子間は伝送経路１３Ａおよび１３Ｂ間に接続されコンデンサ１５への充電が開始される。これにより、伝送経路１３Ａおよび１３Ｂ間の電圧は、フォトトランジスタ１４ａが導通する前の元の電圧から低い電圧に変動したのち、コンデンサ１５が充電された後は再び元の電圧に戻る、過渡的な電圧変動を呈する。元の電圧から低い電圧への過渡的な電圧変動を電圧監視部２１が検出することができる。また、コンデンサ１５が充電された後は、フォトトランジスタ１４ａが導通状態であったとしても１３Ａ、１３Ｂ間に電流が流れることはない。必要となる電圧の変動を検出した後にも電流が流れ続けることはなく電流消費が増大することはない。
【００５８】
また、発光ダイオード１４ｂおよび１４ｃは、電流が流れることに応じて発光する。フォトトランジスタ１４ａは、発光ダイオード１４ｂおよび１４ｃの発光によって導通する。
【００５９】
これにより、フォトカプラ１４に備えられる発光ダイオード１４ｂおよび１４ｃとフォトトランジスタ１４ａとにより伝送経路１３Ｃおよび１３Ｄに流れる電流を検出して伝送経路１３Ａおよび１３Ｂ間の電圧を変動させることができる。フォトカプラ１４という電子部品を追加することで外付電話機７０のオフフックを確実に検出する構成を実現することができる。
【００６０】
また、フォトカプラ１４は発光ダイオード１４ｂと１４ｃとを有する。発光ダイオード１４ｂは、伝送経路１３Ｄに設けられる。発光ダイオード１４ｃは、発光ダイオード１４ｂに並列接続され、アノードが発光ダイオード１４ｂのカソード側に接続され、カソードが発光ダイオード１４ｂのアノード側に接続される。
【００６１】
これにより、回線接続端子１１は、電話回線網６０の回線電圧の正負電圧に対して正反いずれの方向でも接続可能である。これにより、伝送経路１３Ａおよび１３Ｂに印加される電圧の正負の極性が逆転することがあり、これに伴い、伝送経路１３Ｃおよび１３Ｄに流れる電流の方向が逆転する場合がある。発光ダイオード１４ｂと１４ｃとを並列接続された状態で備えることにより、電話回線網６０への接続方向に関わらず、伝送経路１３Ｃおよび１３Ｄに流れる電流を検出することができる。
【００６２】
また、モデム部３０は、通常モードである場合は、半導体化ＤＡＡ２０に対してクロック信号ＣＬＫ２を送信し、省電力モードである場合は、半導体化ＤＡＡ２０に対してクロック信号ＣＬＫ２の周波数より低周波数であるクロック信号ＣＬＫ３を送信する。半導体化ＤＡＡ２０は、モデム部３０からクロック信号ＣＬＫ２が送信されている間は、電圧監視部２１によって伝送経路１３Ａおよび１３Ｂ間の電圧値を検出し、クロック信号ＣＬＫ２に基づく所定の間隔で定期的に電圧値をモデム部３０に送信する。また、モデム部３０からクロック信号ＣＬＫ３が送信されている間は、電圧監視部２１によって伝送経路１３Ａおよび１３Ｂ間の電圧の変動が規定値Ｘを超えるか否かを検出する。
【００６３】
これにより、通常モードでは、外付電話機７０のオフフック状態を見るだけでなく、回線が接続、非接続になっているかどうかを見る必要が有る。そのため、通常モードでは、クロック信号ＣＬＫ２に基づく所定の間隔で定期的に電圧値をモデム部３０に送信することで、回線が接続、非接続になっているかどうか等も含めて確認している。一方、省電力モードでは、省電力の観点もあって、定期的に常に電圧値を確認する必要はない。そこで、クロック信号ＣＬＫ２の周波数より低周波数であるクロック信号ＣＬＫ３で半導体化ＤＡＡ２０を駆動させて、電圧監視部２１によって伝送経路１３Ａおよび１３Ｂ間の電圧の変動が規定値Ｘを超えるか否かを検出することで省電力化を図ることができる。
【００６４】
また、ＦＡＸ装置１はＡＳＩＣ４０および表示部４８を備える。ＡＳＩＣ４０は、モデム部３０による半導体化ＤＡＡ２０からの検知信号の受信に伴って、モデム部３０から送信される省電力モードからの復帰通知を受信した際、表示部４８に対して、外付電話機７０が使用中である旨を表示するように指示する。
【００６５】
これにより、外付電話機７０がオフフック状態となると、外付電話機７０によって電話回線網６０が占有されることになるため、ＦＡＸ装置１の表示部４８に外付電話機７０が使用中である旨を表示することで、ＦＡＸ装置１を使用しているユーザに電話回線網６０が占有されていることを報知することができる。
【００６６】
尚、本発明は前記実施形態に限定されるものではなく、本発明の趣旨を逸脱しない範囲内での種々の改良、変更が可能であることは言うまでもない。
実施形態では、ＡＳＩＣ４０がＣＰＵ４１を備える場合を例に説明したが、これに限定されるものではない。複数のＣＰＵを備えてもよいし、ＡＳＩＣのみで構成されてもよい。
【符号の説明】
【００６７】
１    ファクシミリ装置
１１    回線接続端子
１２    電話接続端子
１３Ａ、１３Ｂ、１３Ｃ、１３Ｄ、１３Ｅ    伝送経路
１４    フォトカプラ
１４ａ    フォトトランジスタ
１４ｂ、１４ｃ    発光ダイオード
１５    コンデンサ
１６    ダイオードブリッジ
１７    スイッチ
１８    トランス
２０    半導体化ＤＡＡ
２１    電圧監視部
２２    回線信号受信回路
２３    回線信号送出回路
２４    データ入出力部
３０    モデム部
３１    クロック部
４０    ＡＳＩＣ
４１    ＣＰＵ
４２    クロック生成部
４３    ＲＯＭ
４４    ＲＡＭ
４５    操作部
４６    画像形成部
４７    画像読取部
４８    表示部
６０    電話回線網
７０    外付電話機
Ｎ１、Ｎ２    ノード
【図１】
0006361429.tif 000002
【図２】
0006361429.tif 000003
【図３】
0006361429.tif 000004
【図４】
0006361429.tif 000005
【図５】
0006361429.tif 000006
【図６】
0006361429.tif 000007